(57)【要約】【課題】リモートコントロール機器において、筐体から出射される電磁波の出射角を広くし、かつ、外部から衝撃等が加わっても送信素子等が破損しにくいようにする。【解決手段】リモートコントロール機器１は、ボタン２と、穴部３ａが形成されている回路基板３と、回路基板３に取り付けられている赤外線素子５と、開口部１１２に配されたＩＲフィルタ７を有している。ボタン２の下面には、下端部が前方に向けてテーパ状に傾斜するように形成されたスライド突起２ｂが突設されている。回路基板３は、筐体内部に、前後方向にスライド自在に配置されている。ボタン２が押下操作されていないときには、赤外線素子５の先端とＩＲフィルタ７の内面とは離れている。ボタン２が押下操作されると、スライド突起２ｂの下端面と穴部３ａの前端縁とが摺接して回路基板３が前方にスライドし、赤外線素子５が開口部１１２に近づいた状態で赤外線が広角に出射される。【選択図】図４
2007306067.tif 000002
【特許請求の範囲】
【請求項１】
前方に開口部が設けられている筐体と、
前記筐体の上面に、ユーザにより押下操作可能に配置されたボタンと、
前記筐体内部の、前記ボタンの下方に配置されており、前記開口部を通して筐体外部に赤外線を発光して出射する赤外線素子が搭載され、前記ボタンが押下操作されたときに、前記赤外線素子から、そのボタンに応じた所定の信号に基づいて赤外線を出射させるように構成されている回路基板と、
前記回路基板の前方に、前記筐体の開口部を覆うように配置され、前記赤外線素子から出射される赤外線を透過可能なＩＲフィルタと、
前記筐体内部に収納される電池に接触可能に前記筐体に支持された電極部と、前記回路基板から下方に延設され、前記電極部と前記回路基板とを通電可能に接続する接続部とを有する電極スプリングとを備えたリモートコントロール機器において、
前記ボタンは、ユーザにより押下操作がなされるキャップ部と、そのキャップ部の下面に突設され、前記回路基板に平行な断面が略矩形形状であり、下端面が、前記筐体の前方に向けテーパ形状に傾斜するように形成されたスライド突起を有しており、
前記回路基板は、前記ボタンに対応する位置に、そのボタンのスライド突起の下端部が緩嵌可能に設けられた穴部をさらに有し、前記筐体に対し前後方向にスライド可能に配置されており、
前記穴部は、その前端縁が、前記ボタンが押下操作されていないとき、前記スライド突起の下端面の下方に位置するように形成されており、
前記ボタンが押下操作されたとき、前記ボタンの下方への変位に伴い、そのボタンのスライド突起の下端面と前記穴部の前端縁とが摺接して前記回路基板が前方にスライドし、前記電極スプリングの接続部が弾性変形すると共に、前記赤外線素子の前端と前記ＩＲフィルタの内面との距離を近づけ、
前記ボタンの押下操作が解除されたとき、前記接続部の復元力により、前記回路基板がスライドして元の位置に戻ることにより、前記赤外線素子の前端と前記ＩＲフィルタの内面との距離が離れ、
これにより、前記赤外線素子から前記開口部を通して出射される赤外線の出射角が大きくなり、かつ、前記ボタンが押下操作されないときに外部から衝撃が加わっても、前記赤外線素子と前記ＩＲフィルタとが接触しにくいように構成されていることを特徴とするリモートコントロール機器。
【請求項２】
前方に開口部が設けられている筐体と、
前記筐体の上面に、ユーザにより押下操作可能に配置されたボタンと、
前記筐体内部の、前記ボタンの下方に配置されており、前記開口部を通して筐体外部に電磁波を出射する送信素子が搭載され、前記ボタンが押下操作されたときに、前記送信素子からそのボタンに応じた所定の信号に基づく電磁波を出射させるように構成されている回路基板と、
前記回路基板の前方に、前記筐体の開口部を覆うように配置され、前記送信素子から出射される電磁波を透過可能なフィルタとを備えたリモートコントロール機器において、
前記ボタンは、前記ボタンの下面に突設され、その下端面が、前記筐体の前方に向けテーパ形状に傾斜するように形成されたスライド突起を有しており、
前記回路基板は、前記筐体に対し前後方向にスライド可能に配置されており、
前記回路基板を前記筐体の後方に向けて支えるように配置されたばね部材をさらに備え、
前記ボタンが押下操作されたとき、前記ボタンの下方への変位に伴い、そのボタンのスライド突起の下端面と前記回路基板の端縁の一部とが摺接して前記回路基板が前方にスライドすることを特徴とするリモートコントロール機器。
【請求項３】
前記筐体内部に収納される電池に接触可能に前記筐体に支持された電極部と、前記電極部と前記回路基板とを通電可能に接続する接続部とを有する電極スプリングをさらに備え、
前記ばね部材は、前記接続部であることを特徴とする請求項２に記載のリモートコントロール機器。
【発明の詳細な説明】
【技術分野】
【０００１】
本発明は、ユーザによるボタンの押下操作により、外部の電子機器に対して所定の信号を送信するためのリモートコントロール機器に関する。
【背景技術】
【０００２】
従来より、電子機器を遠隔操作可能にするために、リモートコントロール機器（以下、リモコンと称する）が利用されている。このようなリモコンとしては、筐体に配置されたボタンがユーザにより押下操作されたとき、例えば赤外線等の電磁波を外部の電子機器に出射することにより、そのボタンに応じて所定の信号を電子機器に送信するものがある。
【０００３】
このようなリモコンは、筐体内部に、リモコンの前方に向けて赤外線を出射する赤外線素子が取り付けられ、ボタンの押下操作に応じて赤外線素子から赤外線を出射させる電気回路が搭載された回路基板を有している。リモコンの筐体の、赤外線素子の前方には、開口部が形成されており、赤外線素子から出射される赤外線は、この開口部を通過して外部に出射されるように構成されている。この開口部は、例えば赤外線を透過させるＩＲフィルタにより覆われている。これにより、赤外線素子は、外部に露出しないように保護されている。
【０００４】
ところで、このようなリモコンにおいては、ユーザが扱いやすいようにするため、赤外線が、筐体から、できるだけ広角に出射されることが望ましい。赤外線を広角に出射させるためには、例えば特許文献１に記載されているリモコンのように、赤外線素子を、ＩＲフィルタにできるだけ近い位置に配置すればよい。しかしながら、このように赤外線素子をＩＲフィルタに近づけすぎると、例えば床に落下したときの衝撃等が外部から加わった場合に、赤外線素子とＩＲフィルタとが接触し、赤外線素子等が破損してしまうことがある。従って、従来のリモコンにおいては、赤外線素子は、ＩＲフィルタの内面との間に、外部から衝撃等が加わっても両者が接触しにくいような間隔を確保した位置に設置しなければならず、その位置よりＩＲフィルタに近い位置に赤外線素子を配置して筐体からの赤外線の出射角を広げることができない。
【特許文献１】実開平６−５２３８号公報
【発明の開示】
【発明が解決しようとする課題】
【０００５】
本発明は、上記問題点を鑑みてなされたものであり、筐体から出射される電磁波の出射角が広く、かつ、外部から衝撃等が加わっても送信素子等が破損しにくいリモートコントロール機器を提供することを目的とする。
【課題を解決するための手段】
【０００６】
上記目的を達成するため請求項１の発明は、前方に開口部が設けられている筐体と、前記筐体の上面に、ユーザにより押下操作可能に配置されたボタンと、前記筐体内部の、前記ボタンの下方に配置されており、前記開口部を通して筐体外部に赤外線を発光して出射する赤外線素子が搭載され、前記ボタンが押下操作されたときに、前記赤外線素子から、そのボタンに応じた所定の信号に基づいて赤外線を出射させるように構成されている回路基板と、前記回路基板の前方に、前記筐体の開口部を覆うように配置され、前記赤外線素子から出射される赤外線を透過可能なＩＲフィルタと、前記筐体内部に収納される電池に接触可能に前記筐体に支持された電極部と、前記回路基板から下方に延設され、前記電極部と前記回路基板とを通電可能に接続する接続部とを有する電極スプリングとを備えたリモートコントロール機器において、前記ボタンは、ユーザにより押下操作がなされるキャップ部と、そのキャップ部の下面に突設され、前記回路基板に平行な断面が略矩形形状であり、下端面が、前記筐体の前方に向けテーパ形状に傾斜するように形成されたスライド突起を有しており、前記回路基板は、前記ボタンに対応する位置に、そのボタンのスライド突起の下端部が緩嵌可能に設けられた穴部をさらに有し、前記筐体に対し前後方向にスライド可能に配置されており、前記穴部は、その前端縁が、前記ボタンが押下操作されていないとき、前記スライド突起の下端面の下方に位置するように形成されており、前記ボタンが押下操作されたとき、前記ボタンの下方への変位に伴い、そのボタンのスライド突起の下端面と前記穴部の前端縁とが摺接して前記回路基板が前方にスライドし、前記電極スプリングの接続部が弾性変形すると共に、前記赤外線素子の前端と前記ＩＲフィルタの内面との距離を近づけ、前記ボタンの押下操作が解除されたとき、前記接続部の復元力により、前記回路基板がスライドして元の位置に戻ることにより、前記赤外線素子の前端と前記ＩＲフィルタの内面との距離が離れ、これにより、前記赤外線素子から前記開口部を通して出射される赤外線の出射角が大きくなり、かつ、前記ボタンが押下操作されないときに外部から衝撃が加わっても、前記赤外線素子と前記ＩＲフィルタとが接触しにくいように構成されているものである。
【０００７】
請求項２の発明は、前方に開口部が設けられている筐体と、前記筐体の上面に、ユーザにより押下操作可能に配置されたボタンと、前記筐体内部の、前記ボタンの下方に配置されており、前記開口部を通して筐体外部に電磁波を出射する送信素子が搭載され、前記ボタンが押下操作されたときに、前記送信素子からそのボタンに応じた所定の信号に基づく電磁波を出射させるように構成されている回路基板と、前記回路基板の前方に、前記筐体の開口部を覆うように配置され、前記送信素子から出射される電磁波を透過可能なフィルタとを備えたリモートコントロール機器において、前記ボタンは、前記ボタンの下面に突設され、その下端面が、前記筐体の前方に向けテーパ形状に傾斜するように形成されたスライド突起を有しており、前記回路基板は、前記筐体に対し前後方向にスライド可能に配置されており、前記回路基板を前記筐体の後方に向けて支えるように配置されたばね部材をさらに備え、前記ボタンが押下操作されたとき、前記ボタンの下方への変位に伴い、そのボタンのスライド突起の下端面と前記回路基板の端縁の一部とが摺接して前記回路基板が前方にスライドするものである。
【０００８】
請求項３の発明は、請求項２の発明において、前記筐体内部に収納される電池に接触可能に前記筐体に支持された電極部と、前記電極部と前記回路基板とを通電可能に接続する接続部とを有する電極スプリングをさらに備え、前記ばね部材は、前記接続部であるものである。
【発明の効果】
【０００９】
請求項１の発明によれば、ボタンが押下操作されるとき、回路基板が前方にスライドするので、赤外線素子から赤外線が出射されるときには、赤外線素子の位置がＩＲフィルタに近くなる。このとき、電極スプリングの接続部が変形しており、回路基板は、この接続部の復元力により、ボタンの押下操作が解除されたときに元の位置に戻る。従って、ボタンが押下操作されないときには赤外線素子とＩＲフィルタとの間隔が広く確保され、外部から衝撃等が加わっても赤外線素子等が破損しにくくなり、赤外線素子から赤外線が出射されるときには、筐体から出射される赤外線の出射角を広くすることが可能になり、リモートコントロール機器が、故障しにくく、また、扱いやすくなる。また、回路基板を元の位置に戻すための部材が、電極スプリングの接続部であるため、回路基板が元の位置に戻るように構成するために別個の部材を設けなくてもよく、上述のリモートコントロール機器を、低コストで製造することができる。
【００１０】
請求項２の発明によれば、ボタンが押下操作されるとき、回路基板が前方にスライドするので、送信素子から電磁波が出射されるときには、送信素子の位置がフィルタに近い位置になる。従って、筐体から出射される電磁波の出射角を広くすることが可能になり、リモートコントロール機器を扱いやすくすることができる。また、回路基板がばね部材により支えられており、ばね部材の復元力により、ボタンの押下操作により前方にスライドした回路基板が、押下操作が解除されたときに元の位置に戻る。従って、ボタンが押下操作されていない状態では、送信素子とフィルタとの間隔をより確実に広く確保することができ、外部から衝撃等が加わっても送信素子等が破損しにくくなる。
【００１１】
請求項３の発明によれば、ばね部材は、電極スプリングの接続部であり、この接続部が変形することにより回路基板を元の位置に戻るように構成されているので、ばね部材として別個の部材を設けなくても、ボタンが押下操作されていないときに送信素子とフィルタとの間隔をより確実に確保することが可能になる。従って、外部から衝撃等が加わっても送信素子等が破損しにくいリモートコントロール機器を、低コストで製造することができる。
【発明を実施するための最良の形態】
【００１２】
以下、本発明の一実施形態について図面を参照して説明する。図１及び図２は、本実施形態に係るリモートコントロール機器（以下、リモコンと称する）を示す。図１の矢印は、リモコン１の前方を示す。リモコン１は、ボトムカバー１１０及びこのボトムカバー１１０を覆うように取り付けられるトップカバー１２０により構成された筐体１００と、筐体１００の上面に、ユーザにより押下操作可能に配置されたボタン２と、ボタン２の下方に配置され、電気回路が搭載された回路基板３と、回路基板３とボタン２との間に配置されたパッド４と、回路基板３に搭載された、ＬＥＤ等の赤外線素子（送信素子）５と、ＩＲフィルタ（フィルタ）７と、回路基板３及びボトムカバー１１０にそれぞれ取り付けられた電極スプリング８，９とを備えている。図２に示すように、このリモコン１は、ユーザにより筐体１００から突出するように配されたボタン２が押下操作されたとき、赤外線素子５から、例えば画像表示プロジェクタやテレビ等の外部の電子機器に、赤外線（電磁波）を出射するように構成されている。すなわち、リモコン１は、ユーザが、外部の電子機器を遠隔操作するために使用される。
【００１３】
図３及び図４（ａ），（ｂ）を参照して、このリモコン１の各部の構成について説明する。なお、図３においては、説明のため、ボタン２を１つのみ示す。また、図３においては、パッド４の図示を省略している。そして、図３及び図４（ａ）の矢印は、このリモコン１の前方を示す。ボタン２は、外部電子機器を操作するための複数の所定の信号に対応して、例えば６個配されている。ボタン２は、図３に示すように、上部の、トップカバー１２０から外部に露出され、ユーザにより押下操作がなされるキャップ部２ａと、キャップ部２ａの下面に突設された略矩形断面を有するスライド突起２ｂとで構成されている。スライド突起２ｂは、下端面が、筐体１００の前方に向けてテーパ状に傾斜するように形成されている。なお、ボタン２の数はこれに限られるものではなく、例えば１個のみであってもよい。
【００１４】
図３に示すように、回路基板３には、前端部に、例えば２個の赤外線素子５が搭載されている。回路基板３には、ボタン２のそれぞれに対応する位置に、穴部３ａが設けられている。この穴部３ａは、対応するボタン２のスライド突起２ｂの下端部が緩嵌可能になるように、上面から見て略矩形形状に設けられている。このリモコン１において、穴部３ａは、ボタン２が押下操作されていないとき、図４（ａ）に示すように、穴部３ａの前端縁が、その穴部３ａに対応するボタン２のスライド突起２ｂの下端面と当接するように形成されている。
【００１５】
穴部３ａのそれぞれの後端縁近傍には、ボタン接点が配置されている。この回路基板３の電気回路は、ボタン２が押下操作されて、後述するようにボタン接点が導通したとき、そのボタン２に応じた所定の信号に基づいて、赤外線素子５から赤外線を発光させて出射させるように構成されている。すなわち、ユーザは、例えば６個のボタン２のうち、所望のボタン２を押下操作することにより、外部の電子機器に対し、そのボタン２に対応した操作を行うことができる。本実施形態において、ボトムカバー１１０の回路基板３が配置される部位には、支持部１１３が突設されている。回路基板３は、この支持部１１３に下方から支えられ、ボトムカバー１１０の内側面により側端部の位置が規制された状態で配置され、筐体１００の内部で、前後方向にスライド可能に配置されている。
【００１６】
パッド４は、図４に示すように、ボタン２と回路基板３とに挟まれるように配置されており、柔軟性のある平板状の樹脂により形成されている。パッド４の各ボタン２のスライド突起２ｂに対応する位置には、それぞれ貫通孔（図示せず）が設けられている。各ボタン２は、スライド突起２ｂがこの貫通孔を貫通するようにして配置される。パッド４の、回路基板３側の面の、前記貫通孔の近傍の位置には、それぞれ、各ボタン２に対応して押圧パッド４ａが設けられている。すなわち、このリモコン１では、ボタン２がユーザにより押下操作されると、パッド４が変形し、そのボタン２に対応する押圧パッド４ａが回路基板３のボタン接点を押圧し、ボタン接点を導通させるように構成されている。
【００１７】
ＩＲフィルタ７は、例えば透明な樹脂製の部材であり、赤外線素子５から出射される赤外線を透過させる。筐体１００の前方には、図１に示すように、開口部１１２が形成されている。ＩＲフィルタ７は、この開口部１１２を覆うように配置され、赤外線素子５から外部に出射される赤外線が、ＩＲフィルタ７を透過した後に外部に出射されるように構成されている。このリモコン１では、図４（ａ）に寸法線により示すように、ＩＲフィルタ７の筐体１００の内面側と、赤外線素子５の前端との間隔は、筐体１００に外部から衝撃等が加わったときにも、赤外線素子５とＩＲフィルタ７とが接触しない程度に設定されている。これにより、このリモコン１は、例えば落下等により外部から振動が加わっても故障しにくいように構成されている。
【００１８】
電極スプリング８，９は、本実施形態において、ボトムカバー１１０の電池収納部１１５に配置される電池２００から回路基板３に電源を供給するために設けられている。本実施形態において、リモコン１は、例えば２本の乾電池２００を電源として用いるように構成されている。なお、図４（ａ）に示すように、電池収納部１１５に配置された乾電池２００は、蓋１３０により覆われて、筐体１００の内部に収納されている。
【００１９】
図１に示すように、電極スプリング８は、正極側、負極側に分かれており、例えば針金部材により構成されている。電極スプリング９は、例えば２本の乾電池２００の一方の正極と他方の負極を接続する。すなわち、このリモコン１は、２本の乾電池２００を直列に接続して電源として用いるように構成されている。電極スプリング８は、回路基板３に正極側、負極側のそれぞれの端部が接続されており、その端部から、回路基板３の下方に向けてそれぞれ設けられている。図４（ａ）に示すように、電極スプリング８は、電池収納部１１５に収納される乾電池２００の電極に接触可能に、例えばコイルばね形状に成型された電極部８ａと、電極部８ａと回路基板３とを接続する接続部（ばね部材）８ｂとを有している。接続部８ｂは、図４（ａ）に示すように、回路基板３から下方に、回路基板３に対し略垂直に延設されている。電極部８ａは、乾電池２００の電極と接触する側とは反対側の部位が、ボトムカバー１１０の電池収納部１１５の前方の側面に当接可能に配されている。そして、電池収納部１１５に乾電池２００が配置されているとき、電極部８ａが、この乾電池２００の電極と電池収納部１１５の側面との間で挟まれて圧縮された状態となることにより、乾電池２００の電極と確実に接触するように構成されている。
【００２０】
次に、図４（ａ）、（ｂ）を用いて、このリモコン１のボタン２がユーザにより押下操作されるときの動作を説明する。このリモコン１は、ボタン２が押下操作されると、回路基板３が前方にスライドした状態で、赤外線を外部に出射するように構成されている。
【００２１】
先ず、ボタン２がユーザにより押下操作されていないときには、図４（ａ）に示すように、電極スプリング８の接続部８ｂが回路基板３に対して略鉛直な状態で変形していない状態である。このとき、回路基板３は、図に寸法線で示すように、赤外線素子５の前端とＩＲフィルタ７の内面との間隔が広くなるような位置となるように構成されており、リモコン１に外部から衝撃等が加わっても、赤外線素子５とＩＲフィルタ７とが接触しにくくなるように構成されている。換言すれば、接続部８ｂは、赤外線素子５の前端とＩＲフィルタ７の内面との間隔が広くなるように、回路基板３を筐体１００の後方に向けて支えるように構成されている。ボタン２は、パッド４により、キャップ部２ａがトップカバー１２０の上面から上方に突き出すように支えられており、パッド４の押圧パッド４ａは、回路基板３上のボタン接点から離れた状態となっている。そして、この状態においては、図に示すように、スライド突起２ｂの下端面の下方に、穴部３ａの前端縁が位置しており、スライド突起２ｂの下端面と穴部３ａの前端縁とが当接している。
【００２２】
ボタン２に、図４（ｂ）の矢印Ｆで示すようにユーザによる押下操作がなされると、パッド４が変形すると共に、ボタン２が下方に変位する。このとき、ボタン２の変位に主内、スライド突起２ｂの下端面と穴部３ａの前端縁とが摺接し、回路基板３が、図の矢印Ｓで示すように前方にスライドする。そして、ボタン２が下方に変位することで、押圧パッド４ａも下方に変位し、押圧パッド４ａにより回路基板３上のボタン接点が押圧されて、赤外線素子５から前方に、押圧されたボタン２に対応する信号に応じた赤外線が出射される。このとき、回路基板３が前方にスライドしているので、図の寸法線で示すように、赤外線素子５の前端とＩＲフィルタ７の内面との距離が、ボタン２押下操作されていないときと比較して、互いに接触しない程度に近づいている。すなわち、赤外線は、筐体１００の開口部１１２に近づいた位置から外部に向けて出射されるので、赤外線素子５から開口部１１２を通して出射される赤外線の出射角が、図４（ａ）に示すような位置の赤外線素子５から出射されるときと比較して大きくなる。
【００２３】
ここで、ボタン２が押下操作されているとき、図４（ｂ）に示すように、回路基板３が前方にスライドしており、電極スプリング８の電極部８ａがボトムカバー１１０に当接して支えられていることから、電極スプリング８の接続部８ｂが、弾性変形した状態となる。すなわち、回路基板３が前方にスライドした状態においては、回路基板３に、接続部８ｂの弾性変形による復元力が、図の矢印Ｒで示すように、後方向きに加えられている。そして、ボタン２の押下操作が解除されると、この接続部８ｂの復元力により、回路基板３が後方にスライドして、図４（ａ）に示すような元の位置に戻る。これにより、ボタン２が押下操作されていないときには、赤外線素子５の前端とＩＲフィルタ７の内面との距離が離れ、リモコン１に外部から衝撃等が加わっても、赤外線素子５とＩＲフィルタ７とが接触しにくい状態が保たれる。
【００２４】
このように、本実施形態においては、ボタン２が押下操作されないときには赤外線素子５とＩＲフィルタ７との間隔が広く確保されており、リモコン１が床に落下した場合等、外部から衝撃などが加わっても赤外線素子５が破損しにくく、赤外線素子５から赤外線が出射されるときだけ、赤外線素子５が開口部１１２に近づき、筐体から出射される赤外線の出射角を広くなる。従って、リモコン１が、故障しにくく、また、扱いやすいものになる。また、回路基板３を元の位置に戻すための部材は、電極スプリングの接続部８ｂであるため、回路基板３が元の位置に戻るように構成するために別個の部材を設けなくてもよく、リモコン１が、低コストで製造することができる。
【００２５】
なお、本発明は上記実施形態の構成に限定されるものではなく、発明の趣旨を変更しない範囲で適宜に種々の変形が可能である。例えば、リモコンは、赤外線に限らず、他の電磁波を出射することにより、外部の電子機器を遠隔操作可能なものであってもよい。また、リモコンは、回路基板を筐体の後方に向けて支えるように配置された、例えば樹脂又は金属製のばね部材をさらに有しており、回路基板が前方にスライドすることによりこのばね部材が変形し、ボタンの押下操作が解除されたとき、ばね部材の復元力により回路基板がスライドして元の位置に戻るように構成されていてもよい。さらにまた、スライド突起は、その下端面と、回路基板の端縁の一部とが摺接することにより、回路基板を前方にスライドさせるように構成されていてもよい。すなわち、ボタンの押下操作がなされていないときには、電磁波を出射する送信素子と送信素子を保護するフィルタとが離れており、ボタンの押下操作に伴い回路基板が前方にスライドして、筐体の開口部の近くから電磁波が出射されるような構成により、筐体から出射される電磁波の出射角を広くし、かつ、外部から衝撃等が加わっても送信素子が破損しにくいように構成することが可能になる。
【図面の簡単な説明】
【００２６】
【図１】本発明の一実施形態に係るリモートコントロール機器の部品構成の一例を示す斜視図。
【図２】上記機器を示す斜視図。
【図３】上記機器の回路基板とボタンとを示す斜視図。
【図４】（ａ）は、上記機器の、図２のＡ−Ａ線における側断面図、（ｂ）は、（ａ）のボタンが押下操作された状態を示す側断面図。
【符号の説明】
【００２７】
１  リモコン（リモートコントロール機器）
２  ボタン
２ｂ  スライド突起
３  回路基板
３ａ  穴部
５  赤外線素子（送信素子）
７  ＩＲフィルタ（フィルタ）
８  電極スプリング
８ａ  電極部
８ｂ  接続部（ばね部材）
１００  筐体
１１２  開口部
【図１】
2007306067.tif 000003
【図２】
2007306067.tif 000004
【図３】
2007306067.tif 000005
【図４】
2007306067.tif 000006